(57)【要約】  【課題】摘み体と連結体とから引手を形成し、簡単に摘み体と連結体とを連結し、かつ容易に離脱できないスライドファスナー用スライダーの引手を提供する。  【解決手段】引手は金属から成形した摘み体４と連結体５のいずれか一方に空間部分のある空洞部８を設け、この空洞部８に係合突部１６と係合する被係合部１０としての透孔９を設け、他方に空洞部８へ挿入できる脚部１４を設け、この脚部１４に被係合部１０の透孔９に係合する係合突部１６を設け、係合突部１６の突出方向と反対側に弾性体１９を収容できる収容部１５を設け、この収容部１５に弾性体１９を収容して係合突部１６の動作を規制し、摘み体４と連結体５の連結を的確に行う。  【選択図】図１
2006304942.tif 000002
【特許請求の範囲】
【請求項１】
引手２は金属から形成した摘み体４と連結体５とから形成し、連結体５の一端にスライダー１に連結する取付部１８を設け、摘み体４と連結体５のいずれか一方に空洞部８を設け、該空洞部８に被係合部１０を設け、他方に空洞部８へ挿入する脚部１４を設け、脚部１４に被係合部１０と係合する係合突部１６を突設し、係合突部１６の突出方向と反対側に収容部１５を設け、該収容部１５に弾性体１９を収容してなることを特徴とするスライドファスナー用スライダーの引手。
【請求項２】
脚部１４に隣設した収容部１５に収容する弾性体１９は、係合突部１６が撓む方向に配してなる請求項１記載のスライドファスナー用スライダーの引手。
【請求項３】
弾性体１９の一部は収容部１５から突出し、空洞部８に弾接してなる請求項１記載のスライドファスナー用スライダーの引手。
【請求項４】
一対の脚部１４を設け、該脚部１４の側面に空洞部８に設けたガイド部１２が嵌入できる凹部１７を設け、脚部１４の先端に外向の係合突部１６を突設してなる請求項１記載のスライドファスナー用スライダーの引手。
【請求項５】
脚部１４の先端に内向の係合突部１６を突設し、空洞部８の内部に被係合部１０として係合柱１１を設けて係合突部１６と係合柱１１とを係合してなる請求項１記載のスライドファスナー用スライダーの引手。
【請求項６】
空洞部８に設置する被係合部１０は、空洞部８の一部に透孔９を穿設し、係合突部１６と係合させてなる請求項１記載のスライドファスナー用スライダーの引手。
【請求項７】
一対の脚部１４間に先端へ向けて突出する舌片２０を設けて収容部１５を形成し、弾性体１９を収容部１５に収容してなる請求項１記載のスライドファスナー用スライダーの引手。
【発明の詳細な説明】
【技術分野】
【０００１】
この発明は、スライダーの引手を金属製の摘み体すなわち引手本体と連結体すなわちクランパーとから形成し、摘み体と連結体とを組み付けて形成するスライドファスナー用スライダーの引手に関するものである。
【背景技術】
【０００２】
従来においては、スライダーの胴体に弾性を備えた金属製のクランパーを介して引手本体を連結したスライダーが図１０に示すように知られている。このスライダーは引手本体にクランパーが差込まれる空洞部を設け、この空洞部の最深部分の左右両端に係止孔を設け、クランパーを二股状に形成して、その両脚部の先端を引手本体の係止孔に引っ掛かる係止片を設け、引手本体とクランパーとを組み付けて引手を形成するスライドファスナー用スライダーの引手が知られている。
【特許文献１】実開昭５７−２２３１３号公報
【発明の開示】
【発明が解決しようとする課題】
【０００３】
一般に、スライダーの引手は使用製品の表面から散見されるため、引手をデザイン的にも体裁のよいものを用いることが望まれている。また、引手のデザインは何百種類とあるので、スライダーを製造する自動機械にかけて作製することは無理がある。そこで考えられるのが前項の文献で述べたように、スライダーの胴体に取り付けたクランパーに顧客が望む引手本体を後付けて取り付ける方法である。この方法は確かに便利であるが公知のものは、クランパーの脚部間に、脚部の弾性変形を規制する規制部分が存在しないので、脚部が変形し係合が十分でなく空洞部からクランパーが脱落する恐れがある。また引手本体とクランパーとの間でがたつきが容易に発生するなど問題点がある。
【０００４】
この発明は、上述の問題点を考慮して発明したものであり、この発明のうち請求項１記載の発明は、摘み体と連結体すなわち引手本体とクランプとから形成し、簡単に摘み体と連結体とを連結し、一方に設けた空洞部分に挿入する脚部側に弾性体を収容する収容部を設けて脚部の動作を規制し、空洞部分から脚部が脱落するのを未然に防ぐとともに、引手の作製が容易なスライドファスナー用スライダーの引手を提供することが主たる目的である。
【０００５】
請求項２記載の発明は、請求項１記載の発明の目的に加え、弾性体を効果的に脚部側の収容部に収容して、摘み体と連結体とを堅牢に連結することができるスライドファスナー用スライダーの引手を提供することが目的である。
【０００６】
請求項３記載の発明は、請求項１記載の発明の目的に加え、摘み体と連結体とが弾性体によって、がたつくのを簡単かつ未然に防止することができるスライドファスナー用スライダーの引手を提供することが目的である。
【０００７】
請求項４記載の発明は、請求項１記載の発明の目的に加え、一対の脚部の側面を空洞部の側面に円滑に嵌め込み、また脚部の先端に外向きの係合突部を設け、摘み体と連結体とを簡易かつ確実に連結することができるスライドファスナー用スライダーの引手を提供することが目的である。
【０００８】
請求項５記載の発明は、請求項１記載の発明の目的に加え、脚部の先端に内向きの係合突部を設け、空洞部内に係合柱を設けて摘み体と連結体とを簡易かつ確実に連結することができるスライドファスナー用スライダーの引手を提供することが目的である。
【０００９】
請求項６記載の発明は、請求項１記載の発明の目的に加え、空洞部分に設ける係合突部を係合する被係合部は、透孔状の透孔を設けることによって達成できるスライドファスナー用スライダーの引手を提供することが目的である。
【００１０】
請求項７記載の発明は、請求項１記載の発明の目的に加え、一対の脚部間に舌片を設け、摘み体と連結体とを連結したとき、捩りや折り曲げに強いスライドファスナー用スライダーの引手を提供することが目的である。
【課題を解決するための手段】
【００１１】
前記の目的を達成するため、この発明のうち請求項１記載の発明は、スライダー１の引手２を金属から形成した摘み体４と連結体５とから形成し、連結体５の一端にスライドファスナー１に連結するための取付部１８を設け、摘み体４と連結体５のいずれか一方に脚部１４を挿入するための空洞部８を設け、この空洞部８に脚部１４に設けた係合突部１６と係合する被係合部１０を設ける。他方に空洞部８へ挿入できる脚部１４を設け、この脚部１４に被係合部１０と係合する係合突部１６を側方へ突出する形に設け、この係合突部１６の突出方向と反対側に弾性体１９を収容するための収容部１５を設け、この収容部１５に弾性体１９を収容したスライドファスナー用スライダーの引手を主な構成とするものである。
【００１２】
請求項２記載の発明は、請求項１記載の発明の構成に加え、脚部１４に隣接して設置した収容部１５に収容する弾性体１９は、脚部１４に設けた係合突部１６が撓み前進後退する方向に配設したスライドファスナー用スライダーの引手である。
【００１３】
請求項３記載の発明は、請求項１記載の発明の構成に加え、脚部１４に隣接して設置した収容部１５に収容した弾性体１９は、一部が収容部１５から突出した状態を呈し、この突出した状態の弾性体１９が空洞部８の壁面に弾接したスライドファスナー用スライダーの引手である。
【００１４】
請求項４記載の発明は、請求項１記載の発明の構成に加え、一対の脚部１４における外側面に空洞部８に設置したガイド部１２が嵌入できる凹部１７を設け、脚部１４の先端に設置する係合突部１６は、脚部１４の先端を外向きに形成し、かつ先細状に形成したスライドファスナー用スライダーの引手である。
【００１５】
請求項５記載の発明は、請求項１記載の発明の構成に加え、一対の脚部１４の先端に設置する係合突部１６は、脚部１４の先端を内向きに形成し、かつ先細状に形成し、空洞部８の内部に係合柱１１を設けて係合突部１６と係合柱１１とを係合したスライドファスナー用スライダーの引手である。
【００１６】
請求項６記載の発明は、請求項１記載の発明の構成に加え、空洞部８に設置する被係合部１０は、空洞部８の一部に透孔９を穿設し、この透孔９に脚部１４の先端に設けた係合突部１６を係合させたスライドファスナー用スライダーの引手である。
【００１７】
請求項７記載の発明は、請求項１記載の発明の構成に加え、一対の脚部１４の間に、先端へ向けて突出する舌片２０を設けて収容部１５を形成し、この収容部１５に弾性体１９を収容したスライドファスナー用スライダーの引手である。
【発明の効果】
【００１８】
この出願の発明の効果として、請求項１記載の発明は、引手が金属から形成した摘み体と連結体とから形成し、連結体の一端にスライダーに連結する取付部を設け、摘み体と連結体のいずれか一方に空洞部を設け、該空洞部に被係合部を設け、他方に空洞部へ挿入する脚部を設け、脚部に被係合部と係合する係合突部を突設し、係合突部の突出方向と反対側に収容部を設け、該収容部に弾性体を収容したことによって、下記の効果を奏するものである。
【００１９】
この発明は、引手を摘み体と連結体のいずれか一方に設けた空洞部分に脚部を挿入して簡易に連結して形成することができ、他方に空洞部分に設けた被係合部と係合する係合突部を備えた脚部を設け、係合突部の突出方向と反対側に収容部分を設けて弾性体を収容し、弾性体によって係合突部の動きを規制するので、両者の係合が無闇に緩むことがなく、品質のよい引手が得られる効果がある。
【００２０】
請求項２記載の発明は、請求項１記載の発明の効果に加え、脚部に隣設した収容部に収容する弾性体は、係合突部が撓む方向に配したことによって、収容部に収容した弾性体は、係合突部が撓む方向へ抵抗する状態で配設しているから係合突部が不意に緩むことがない効果がある。
【００２１】
請求項３記載の発明は、請求項１記載の発明の効果に加え、弾性体の一部は収容部から突出し、空洞部に弾接したことによって、弾性体の一部が空洞部に弾接しているので、引手の摘み体と連結体とががたつかず品質のよい引手が得られる効果がある。
【００２２】
請求項４記載の発明は、請求項１記載の発明の効果に加え、一対の脚部を設け、脚部の側面に空洞部に設けたガイド部が嵌入できる凹部を設け、脚部の先端に外向の係合突部を突設したことによって、摘み体と連結体とが、がたつくことがなく連結することができ、しかも的確かつ安定した状態で連結できる効果がある。
【００２３】
請求項５記載の発明は、請求項１記載の発明の効果に加え、脚部の先端に内向の係合突部を突設し、空洞部の内部に被係合部として係合柱を設けて係合突部と係合柱とを係合したことによって、脚部の先端における係合突部を空洞部内の係合柱に簡単な構造で係合させることができる効果がある。
【００２４】
請求項６記載の発明は、請求項１記載の発明の効果に加え、空洞部に設置する被係合部は、空洞部の一部に透孔を穿設し、係合突部と係合させたことによって、被係合部をきわめて簡単な構造で形成できる効果がある。
【００２５】
請求項７記載の発明は、請求項１記載の発明の効果に加え、一対の脚部間に先端へ向けて突出する舌片を設けて収容部を形成し、弾性体を収容部に収容したことによって、摘み体と連結体とを連結したとき、脚部が捩れや折り曲げ動作に強い引手に仕上げることができる効果があるなど、この発明が奏する効果はきわめて顕著である。
【発明を実施するための最良の形態】
【００２６】
この発明におけるスライドファスナー用スライダーの引手は、図１〜５に示すように摘み体４すなわち引手本体と、連結体５すなわちクランパーとを金属を用いてダイカスト成形によって形成する。摘み体４は適宣形状で表面に各種のデザインを施すことができ、内側は方形状の空洞部８に形成し、かつ空洞部８の内端両側に透孔９を設けて被係合部１０を形成する。この空洞部８の入口から透孔９までの両側にガイド部１２を形成して連結体５における脚部１４の側面に形成した凹部１７と係合する。連結体５は一端にスライダー１の胴体２２に取り付けるための取付部１８を設け、他端に一対の脚部１４を突設し、脚部１４の先端は両側へ突出する係合突部１６を設けて摘み体４の被係合部１０と係合する。
【００２７】
連結体５は両側に突設した脚部１４に隣接して適宣形状の収容部１５を設けて弾性を備えた弾性体１９を収容する。ここで形成する収容部１５は中央に舌片２０が突出状に形成され、脚部１４と舌片２０の間に形成された溝状部分に弾性体１９すなわち弾性に富んだ素材から形成して収容する。弾性体１９は両側に小脚部２８を設け、中央に突出片２９を突設し、この突出片２９は収容部１５に収容した際、両脚部１４に形成した係合突部１６の先端方向すなわち挿入方向へ突出し、空洞部８の壁面へ接触して連結体５と摘み体４との接触にがたつきを惹起しないように形成する。
【００２８】
弾性体１９の形状は、図１に示す形状に形成して両側の小脚部２８の先端の間隔が狭小状に形成され、連結体５の脚部１４を摘み体４の空洞部８に挿入したとき、収容部１５に収容された弾性体１９は、常時は平面的に空洞部８から脱却できない形状に形成されている。弾性体１９の中央の突出片２９は小脚部２８間に架設された架橋部分に設けられ、外側へ突出する形態に形成したものである。
【実施例１】
【００２９】
この発明のスライドファスナー用スライダーの引手について説明すると、図１〜５に示す実施例１のスライドファスナー用スライダーの引手は、摘み体４および連結体５を亜鉛合金または銅合金などの金属を用いてダイカスト成形によって作製する。摘み体４は長方形で一端の半部分が空洞状を呈する空洞部８を形成し、この空洞部８の底部の面側に透孔９を穿設して被係合部１０を形成する。摘み体４は挿入口から透孔９までの側面にガイド部１２を形成し、かつ挿入口にやや拡大する開口部１３を設ける。摘み体４の表面の形状は、各種の形状に形成してデザイン的にも優れた形状に形成することもできるが、空洞部８の形状は変更するのは、連結体５の形状をも変更しなくてはならなくなるため、得策ではない。
【００３０】
連結体５は長方形で一端にスライダー１の胴体２２に形成された引手取付部３０に取り付けるための透孔状の取付部１８を設け、この取付部１８の反対側の半部分に摘み体４に挿入できる一対の脚部１４を設け、この脚部１４は全体が取付部１８よりも薄く形成され、脚部１４と取付部１８の境界部分は取付部１８が脚部１４よりも厚く形成して、この部分が摘み体４の挿入口の開口部１３に当接する。また脚部１４の外側面に形成された凹欠状の凹部１７は摘み体４の側壁に形成したガイド部１２に挿入時に嵌合できるように形成する。
【００３１】
左右一対の脚部１４は、連結体５の前端から両サイドに突設した脚部１４の先端を外向へ突出する突起、すなわち係合突部１６を設けるとともに内側へも突出する突起を設けて、弾性体１９の脱落を阻止する。両脚部１４には隣接して脚部１４間に弾性体１９を収容できる収容部１５を図２に示すような形状に切欠して設け、この収容部１５には収容部１５よりもやや大きな弾性体１９を挿入させて嵌合する。両脚部１４の間には、脚部１４の基部から先端の突起に向けて突出する舌片２０を形成して、舌片２０と脚部１４との間に弾性体１９を収容することができる収容部１５を形成する。
【００３２】
弾性体１９はポリウレタン、シリコン、ポリエステル系エラストマー、ポリエーテル系エラストマー、合成ゴムなどの樹脂または天然ゴムによって塑性変形させて形成する。また、弾性体１９の硬さは、ショアＡ８０よりも硬く、ショアＤ５０よりも軟らかいことが好ましい。弾性体１９は、連結体５に形成した収容部１５よりもやや大きく形成し、両側に小脚部２８を略平行状に突設し、小脚部２８の基部の架橋部分から外側へ突出する突出片２９を設け、この突出片２９は収容部１５に収容したとき連結体５における係合突部１６の前端よりも突出する大きさに形成する。これによって弾性体１９が空洞部８内で弾接し、係合突部１６と被係合部１０とが、がたつくことがなく係合させることができる。また小脚部２８の先端の間隔は漸次狭小する形状に形成して挟み付ける作用が働き収容部１５に収容したとき脱落しないように形成する。
【００３３】
スライダー１は適宣形態の各種タイプのスライダー１が用いられるが、一般には上翼板２３と下翼板２４とを案内柱２５で連結し、翼板２３，２４の両側にフランジ２６を設け、上翼板２３の上面に引手２を取り付ける引手取付部３０を設けたタイプのスライダー１を用いる。
【００３４】
この発明のスライドファスナー用スライダーの引手の使用態様について説明すると、図１に示すようにスライダー１の引手取付部３０に連結体５を取り付けて摘み体４と対応させ、次に図２に示すように連結体５の両脚部１４間に形成した収容部１５に弾性体１９を嵌合させた後、図３に示すように摘み体４のガイド部１２の間に、弾性体１９を圧縮しながら脚部１４を挿入する。さらに挿入して図４に示すように脚部１４に形成した係合突部１６を摘み体４に形成した透孔９による被係合部１０に挿入し、またガイド部１２は脚部１４の凹部１７に嵌合して両者を係合させる。挿入後は図４，５に示すように弾性体１９の突出片２９の先端は摘み体４の壁面を押圧し、また弾性体１９の上下の両面は空洞部８の内壁面を押圧して連結体５と摘み体４とを強固に連結し、がたつくことなく連結することができる。
【実施例２】
【００３５】
図６，７に示す実施例２のスライドファスナー用スライダーの引手は、スライダー１の引手取付部３０に取付体を取り付け、この取付体５の摘み体４へ挿入する面における中央に連結側を連結し三方を切り欠き切起状の係合突部１６を切り起し、すなわち先端を上方へ突出するように形成する。摘み体４は連結体５が挿入する空洞部８が角状を呈し、上面には連結体５の切起状の係合突部１６が嵌挿できる透孔９を空洞部８に形成して被係合部１０を形成する。そして切起した係合突部１６の先端側の下方に収容部１５を形成して三角台形の弾性体１９を収容部１５に収容する。収容した弾性体１９によって被係合部１０に係合した係合突部１６が緩むことがない。
【実施例３】
【００３６】
図８に示す実施例３のスライドファスナー用スライダーの引手は、スライダー１の引手取付部３０に連結体５の一端側に透孔状の取付部１８を設け、他端側に内側が空洞状の空洞部８を設け、この空洞部８の取付部１８側の壁面に沿って透孔９を設けて被係合部１０を形成するとともに、側面に透孔９から挿入口に向けてガイド部１２を設ける。一方摘み体４は全体が長方形で一端に平行状の脚部１４を形成し、この脚部１４の先端に外向きの係合突部１６を形成して連結体５の被係合部１０に係合し、両脚部１４の間には隣接して弾性体１９を収容できる長方形の収容部１５を設ける。弾性体１９を全体が長方形で中央部分が打ち抜かれた枠状を呈し、収容部１５に収容したときは、長方形の弾性体１９の先端が突出して連結体５の内壁面に当接して両者のがたつきを防ぐものであり、弾性体１９を枠状としたことで、弾性力を調整することができ、形状は図８の枠状に限らず、打ち抜かれた部分を具有するものであれば、弾性力を容易に調整することができる。
【実施例４】
【００３７】
図９に示す実施例４のスライドファスナー用スライダーの引手は、隠しタイプのスライダー１の引手取付部３０にクランパー３１を取り付け、このクランパー３１に連結体５の一端を取り付け、連結体５の他端には内向きの係合突部１６を形成する。一方摘み体４は一端側に空洞状の空洞部８を設け、この空洞部８は連結体５の両脚部１４よりも横幅が広く形成するとともに、内壁面の手前に三角柱状の被係合部１０を設けて係合突部１６と係合する。この被係合部１０を設置するには、空洞部８を形成するコアの先端に三角状の凹部を設け、このコアと直交する係合突部１６と厚さが同じコアをサイドから挿入して被係合部を形成する。また弾性体１９は両脚部１４の両外側に隣接してあてがうように形成し、脚部１４の外側への移動を阻止するものである。
【産業上の利用可能性】
【００３８】
この発明のスライドファスナー用スライダーの引手は、引手における摘み体のデザインを顧客が望むものを用いてスライダーの引手に後付けタイプで取り付け、その際、引手ががたつくことがなく強固に固定でき、衣服、カバン、袋物など全般に用いるものである。
【図面の簡単な説明】
【００３９】
【図１】スライドファスナー用スライダーの引手における実施例１のスライダーの分解斜視図である。
【図２】同上の引手の連結体と摘み体との対応状態を示す一部切欠した正面図である。
【図３】同上の引手の連結体と摘み体との係合状態を示す一部切欠した正面図である。
【図４】同上の引手の連結体と摘み体との係合後の状態を示す一部切欠した正面図である。
【図５】同上の引手におけるＡ−Ａ拡大断面図である。
【図６】実施例２のスライダーの分解斜視図である。
【図７】同上引手の接合部分の拡大断面図である。
【図８】実施例３のスライダーの一部を切欠した正面図である。
【図９】実施例４のスライダーの一部切欠した正面図である。
【図１０】公知のスライダーの引手の断面正面図である。
【符号の説明】
【００４０】
１      スライダー
２      引手
４      摘み体
５      連結体
８      空洞部
９      透孔
１０    被係合部
１１    係合柱
１２    ガイド部
１４    脚部
１５    収容部
１６    係合突部
１７    凹部
１９    弾性体
【図１】
2006304942.tif 000003
【図２】
2006304942.tif 000004
【図３】
2006304942.tif 000005
【図４】
2006304942.tif 000006
【図５】
2006304942.tif 000007
【図６】
2006304942.tif 000008
【図７】
2006304942.tif 000009
【図８】
2006304942.tif 000010
【図９】
2006304942.tif 000011
【図１０】
2006304942.tif 000012